【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
光学取得システムの瞳孔を通過する光線の組によって占有された、前記光学取得システムの物体空間内の、容積と、前記光学取得システムのセンサの少なくとも１つのピクセルの共役と、を表すデータを生成するコンピュータ実装された方法であって、前記光線の組によって占有された前記容積は、ピクセルビームと呼称され、前記方法は、前記ピクセルビームを表すメタデータを生成することを含み、前記データは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータと、
を含み、
前記ピクセルビームの前記ウエストを定義する前記パラメータは、前記少なくとも１つのピクセルを定義するパラメータに基づいて演算される、方法。
【請求項２】
前記光学取得システムによってキャプチャされたライトフィールドデータから取得された前記ピクセルによってキャプチャされた前記光の強度を表すパラメータは、前記メタデータ内の前記ピクセルビームを表す前記パラメータに対して関連付けられている請求項１に記載の方法。
【請求項３】
前記瞳孔を定義する前記パラメータは、前記瞳孔の半径、前記光学取得システムに関連付けられた座標系内の前記瞳孔中心の座標、及び前記座標系内の前記瞳孔の向きを定義する角度を含む請求項１又は２に記載の方法。
【請求項４】
前記ピクセルビームの前記ウエストを表す前記パラメータは、前記ピクセルビームの前記ウエストと前記瞳孔の前記中心の間の距離、前記座標系内の前記ピクセルビームの前記ウエストの向きを含む請求項１から３のいずれか１項に記載の方法。
【請求項５】
光学取得システムの瞳孔を通過する光線の組によって占有された、前記光学取得システムの物体空間内の、容積と、前記光学取得システムのセンサの少なくとも１つのピクセルの共役と、を表すデータを生成する装置であって、前記光線の組によって占有された前記容積は、ピクセルビームと呼称され、前記装置は、前記ピクセルビームを表すデータを含むメタデータを生成するように構成されたプロセッサを含み、前記データは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータと、
を含み、
前記ピクセルビームの前記ウエストを定義する前記パラメータは、前記少なくとも１つのピクセルを定義するパラメータに基づいて演算される、装置。
【請求項６】
前記光学取得装置によってキャプチャされたライトフィールドデータから取得された前記ピクセルによってキャプチャされた前記光の強度を表すパラメータは、前記メタデータ内の前記ピクセルビームを表す前記パラメータに対して関連付けられている請求項５に記載の装置。
【請求項７】
前記瞳孔を定義する前記パラメータは、前記瞳孔の半径、前記光学取得装置に関連付けられた座標系内の前記瞳孔中心の座標、及び前記座標系内の前記瞳孔の向きを定義する角度を含む請求項５又は６に記載の装置。
【請求項８】
ライトフィールド撮像装置であって、
−  規則的な格子構造において配置されたマイクロレンズのアレイと、
−  前記マイクロレンズのアレイから前記フォトセンサ上において投影された光をキャプチャするように構成されたフォトセンサであって、前記フォトセンサは、ピクセルの組を含み、ピクセルのそれぞれの組は、前記マイクロレンズのアレイの個々のマイクロレンズと光学的に関連付けられている、フォトセンサと、
−  請求項５に記載の、光学取得システムの瞳孔を通過する光線の組によって占有された、前記光学取得システムの物体空間内の、容積と、前記光学取得システムのセンサの少なくとも１つのピクセルの共役と、を表すデータを含むメタデータを提供する装置であって、前記光線の組によって占有された前記容積は、ピクセルビームと呼称される、装置と、
を含む装置。
【請求項９】
光学取得システムの瞳孔を通過する光線の組によって占有された、前記光学取得システムの物体空間内の、容積と、前記光学取得システムのセンサの少なくとも１つのピクセルの共役と、を表すデータを含むメタデータを使用してライトフィールドデータから画像をレンダリングする装置であって、
前記容積を表すデータは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータと、
を含み、
前記ピクセルビームの前記ウエストを定義する前記パラメータは、前記少なくとも１つのピクセルを定義するパラメータに基づいて演算される、装置。
【請求項１０】
前記光学取得システムによってキャプチャされたライトフィールドデータから取得された前記ピクセルによってキャプチャされた前記光の強度を表すパラメータは、前記メタデータ内の前記ピクセルビームを表す前記パラメータに対して関連付けられている請求項９に記載のレンダリングする装置。
【請求項１１】
前記瞳孔を定義する前記パラメータは、前記瞳孔の半径、前記光学取得装置に関連付けられた座標系内の前記瞳孔中心の座標、及び前記座標系内の前記瞳孔の向きを定義する角度を含む請求項９に記載のレンダリングする装置。
【請求項１２】
光学取得システムの瞳孔を通過する光線の組によって占有された、前記光学取得システムの物体空間内の、容積と、前記光学取得システムのセンサの少なくとも１つのピクセルの共役と、を表すデータを含むデジタルファイルであって、前記光線の組によって占有された前記容積は、ピクセルビームと呼称され、前記データは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータであって、
前記ピクセルビームの前記ウエストを定義する前記パラメータは、前記少なくとも１つのピクセルを定義するパラメータに基づいて演算される、パラメータと、
を含む、デジタルファイル。
【請求項１３】
前記光学取得システムによってキャプチャされたライトフィールドデータから取得された前記ピクセルによってキャプチャされた前記光の強度を表すパラメータは、前記メタデータ内の前記ピクセルビームを表す前記パラメータに対して関連付けられている請求項１２に記載のデジタルファイル。
【請求項１４】
前記瞳孔を定義する前記パラメータは、前記瞳孔の半径、前記光学取得装置に関連付けられた座標系内の前記瞳孔中心の座標、及び前記座標系内の前記瞳孔の向きを定義する角度を含む請求項１２に記載のデジタルファイル。
【請求項１５】
プログラム可能な装置用のコンピュータプログラムプロダクトであって、前記プログラム可能な装置内に読み込まれ、且つ、前記プログラム可能な装置によって実行された際に、請求項１から４のいずれか１項に記載の方法を実装する命令のシーケンスを有するコンピュータプログラムプロダクト。
【手続補正２】
【補正対象書類名】明細書
【補正対象項目名】０１０７
【補正方法】変更
【補正の内容】
【０１０７】
多くの更なる変更及び変形は、例としてのみ付与されていると共に、添付の請求項によってのみ判定される本発明の範囲の限定を意図したものではない、上述の例示用の実施形態を参照した際、それ自体が当業者に対して示唆されることになろう。具体的には、異なる実施形態からの異なる特徴が、適宜、相互交換可能でありうる。
〔付記１〕
光学取得システムの瞳孔を通過する光線の組によって占有された、前記光学取得システムの物体空間内の、容積と、前記光学取得システムのセンサの少なくとも１つのピクセルの共役と、を表すデータを生成するコンピュータ実装された方法であって、前記光線の組によって占有された前記容積は、ピクセルビームと呼称され、前記方法は、前記ピクセルビームを表すデータを含むデジタルファイルを生成することを含み、前記データは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータと、
を含み、
前記ピクセルビームの前記ウエストを定義する前記パラメータは、前記少なくとも１つのピクセルを定義するパラメータに基づいて演算される、方法。
〔付記２〕
前記光学取得システムによってキャプチャされたライトフィールドデータから取得された前記ピクセルによってキャプチャされた前記光の強度を表すパラメータは、前記デジタルファイル内の前記ピクセルビームを表す前記パラメータに対して関連付けられている付記１に記載の方法。
〔付記３〕
前記瞳孔を定義する前記パラメータは、前記瞳孔の半径、前記光学取得システムに関連付けられた座標系内の前記瞳孔中心の座標、及び前記座標系内の前記瞳孔の向きを定義する角度を含む付記１又は２に記載の方法。
〔付記４〕
前記ピクセルビームの前記ウエストを表す前記パラメータは、前記ピクセルビームの前記ウエストと前記瞳孔の前記中心の間の距離、前記座標系内の前記ピクセルビームの前記ウエストの向きを含む付記１から３のいずれか１項に記載の方法。
〔付記５〕
光学取得システムの瞳孔を通過する光線の組によって占有された、前記光学取得システムの物体空間内の、容積と、前記光学取得システムのセンサの少なくとも１つのピクセルの共役と、を表すデータを生成する装置であって、前記光線の組によって占有された前記容積は、ピクセルビームと呼称され、前記装置は、前記ピクセルビームを表すデータを含むデジタルファイルを生成するように構成されたプロセッサを含み、前記データは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータと、
を含み、
前記ピクセルビームの前記ウエストを定義する前記パラメータは、前記少なくとも１つのピクセルを定義するパラメータに基づいて演算される、装置。
〔付記６〕
前記光学取得装置によってキャプチャされたライトフィールドデータから取得された前記ピクセルによってキャプチャされた前記光の強度を表すパラメータは、前記デジタルファイル内の前記ピクセルビームを表す前記パラメータに対して関連付けられている付記５に記載の装置。
〔付記７〕
前記瞳孔を定義する前記パラメータは、前記瞳孔の半径、前記光学取得装置に関連付けられた座標系内の前記瞳孔中心の座標、及び前記座標系内の前記瞳孔の向きを定義する角度を含む付記５又は６に記載の装置。
〔付記８〕
ライトフィールド撮像装置であって、
−  規則的な格子構造において配置されたマイクロレンズのアレイと、
−  前記マイクロレンズのアレイから前記フォトセンサ上において投影された光をキャプチャするように構成されたフォトセンサであって、前記フォトセンサは、ピクセルの組を含み、ピクセルのそれぞれの組は、前記マイクロレンズのアレイの個々のマイクロレンズと光学的に関連付けられている、フォトセンサと、
−  付記５に記載の、光学取得システムの瞳孔を通過する光線の組によって占有された、前記光学取得システムの物体空間内の、容積と、前記光学取得システムのセンサの少なくとも１つのピクセルの共役と、を表すデータを含むデジタルファイルを提供する装置であって、前記光線の組によって占有された前記容積は、ピクセルビームと呼称される、装置と、
を含む装置。
〔付記９〕
付記１乃至４のいずれか１項に記載の前記方法に従って得られる、光学取得システムの瞳孔を通過する光線の組によって占有された、前記光学取得システムの物体空間内の、容積と、前記光学取得システムのセンサの少なくとも１つのピクセルの共役と、を表すデータを含むデジタルファイルを使用してライトフィールドデータから画像をレンダリングする装置であって、前記光線の組によって占有された前記容積は、ピクセルビームと呼称される、装置。
〔付記１０〕
光学取得システムの瞳孔を通過する光線の組によって占有された、前記光学取得システムの物体空間内の、容積と、前記光学取得システムのセンサの少なくとも１つのピクセルの共役と、を表すデータを含むデジタルファイルであって、前記光線の組によって占有された前記容積は、ピクセルビームと呼称され、前記データは、
−  前記光学取得装置の前記瞳孔を定義するパラメータと、
−  前記センサの少なくとも前記ピクセルの、前記物体空間内の、前記共役に対応する、ウエストと呼称される、前記ピクセルビームの最小のセクションを定義するパラメータであって、
前記ピクセルビームの前記ウエストを定義する前記パラメータは、前記少なくとも１つのピクセルを定義するパラメータに基づいて演算される、パラメータと、
−  前記光学取得システムによってキャプチャされたライトフィールドデータから取得された前記ピクセルによってキャプチャされた前記光の強度と、
を含む、デジタルファイル。
〔付記１１〕
付記１から４のいずれか１項に記載の前記方法によって得られた付記１０に記載のデジタルファイル。
〔付記１２〕
プログラム可能な装置用のコンピュータプログラムプロダクトであって、前記プログラム可能な装置内に読み込まれ、且つ、前記プログラム可能な装置によって実行された際に、付記１から４のいずれか１項に記載の方法を実装する命令のシーケンスを有するコンピュータプログラムプロダクト。